(57)【特許請求の範囲】
【請求項１】
堤防により島造成区域を外海と仕切り、
前記島造成区域内に高レベル又は低レベル放射性廃棄物である土砂を収容したトン袋からなる多数の塊状体を互いに当接させて配置し、
土及びセメント成分を含有するセメント固化土用混合スラリーを前記塊状体間に導入し、
前記セメント固化土用混合スラリーを固化させることでセメント固化土により前記塊状体間の間隙を埋め、
前記塊状体の上面にコンクリートを打設してコンクリート地盤を形成することを特徴とする高レベル及び低レベル放射性廃棄物を収容したトン袋の大量処理方法。
【請求項２】
前記塊状体を多数配置するとともに前記間隙に前記セメント固化土用混合スラリーを導入及び固化して形成される堆積層を複数積層して地盤を造成することを特徴とする請求項１に記載の高レベル及び低レベル放射性廃棄物を収容したトン袋の大量処理方法。
【請求項３】
前記島造成区域内に前記外海の海面より高い位置まで埋立てた埋立基礎を設け、前記埋立基礎上に前記塊状体を配置して前記セメント固化土用混合スラリーを導入及び固化することを特徴とする請求項１又は２に記載の高レベル及び低レベル放射性廃棄物を収容したトン袋の大量処理方法。
【請求項４】
前記塊状体の少なくとも一部として土壌を収容したフレキシブルコンテナバッグを配置することを特徴とする請求項３に記載の高レベル及び低レベル放射性廃棄物を収容したトン袋の大量処理方法。
【発明の詳細な説明】
【技術分野】
【０００１】
本発明は、放射性廃棄物を処理するための高レベル及び低レベル放射性廃棄物を収容したトン袋の大量処理方法及びコンクリートの打設による放射線を封じ込める方法に関する。
【背景技術】
【０００２】
我が国は地震が頻発する国として知られ、特に、東北地方に甚大な被害が発生した東日本大震災では津波によって計り知れない被害を受けたうえ、さらに福島原子力発電所の原子炉が損壊するという事故に見舞われた。原子炉事故に伴い大量に放出された放射性物質は、エアロゾルなどの形で広域に拡散し、降雨に伴って地上に降下沈着した結果、地域住民の生活環境に大きな影響を及ぼすに至った。
【０００３】
このような背景の下、放射性物質汚染対処特別措置法が施工され、放射性物質が沈着した土壌や、草木、がれき等の除去といったいわゆる除染措置が鋭意進められている。地域の被ばくリスク低減のための除染措置は不可欠であるものの、この除染措置には難題が山積みしている。特に、放射性物質に汚染された廃棄物の仮置き、中間貯蔵や最終処分といった処分場所がいまだ確保されていないことは、極めて重要な問題である。なぜなら、除染によって生じる除染廃棄物の処分場所の確保がボトルネックとなり、除染措置が思うように進められていないからである。
【０００４】
仮置き場さえ十分に確保されていない一方で除染措置は継続して進められており、その結果、発生した土壌や、草木、がれきといった放射性廃棄物は、例えば民家の庭など暫定的に確保した仮置き場で保管されているというが実情である。
【０００５】
そこで、特許文献１に記載の発明は、大量の放射性廃棄物を処分するための処分場が開示されている。
特許文献１に記載の発明によれば、沿岸海底下の地盤中に放射性廃棄物の貯蔵空間を形成し、貯蔵空間と臨海地間の地盤中に、鉛直方向に海水の流通性を有する孔を複数個、塩水地下水流に交差する形で穿孔設形成し、各々の孔に形状保持材を設け、各々の孔の上部に海水導入手段を設けて構成した放射性廃棄物処分場が提案されている。
【先行技術文献】
【特許文献】
【０００６】
【特許文献１】特開平５−２０３７９７号公報
【発明の概要】
【発明が解決しようとする課題】
【０００７】
しかしながら、沿岸海底下の地盤中に放射性廃棄物の貯蔵空間の形成は多大なコストがかかるほか、沿岸地域の住人や漁業関係者等に反対されるおそれがあることを考慮すると、このような処分場を構築することは困難である。
【０００８】
そこで本発明では、除染措置で発生した高レベル又は低レベルの放射性廃棄物である土砂が収納された大量のトン袋を人工島の造成に利用することで一度で大量に処理することができるほか、放射性廃棄物から放射線の漏れによる放射能汚染を防止するための高レベル又は低レベルの放射性廃棄物である土砂を収容したトン袋の大量処理方法を提供することを目的とする。
【課題を解決するための手段】
【０００９】
上記目的を達成するために、本発明の高レベル及び低レベル放射性廃棄物を収容したトン袋の大量処理方法は、堤防により島造成区域を外海と仕切り、前記島造成区域内に高レベル又は低レベル放射性廃棄物である土砂を収容したトン袋からなる多数の塊状体を互いに当接させて配置し、土及びセメント成分を含有するセメント固化土用混合スラリーを前記塊状体間に導入し、前記セメント固化土用混合スラリーを固化させることでセメント固化土により前記塊状体間の間隙を埋め、前記塊状体の上面にコンクリートを打設してコンクリート地盤を形成することを特徴とする。
【００１０】
また、本発明の高レベル及び低レベル放射性廃棄物を収容したトン袋の大量処理方法は、前記塊状体を多数配置するとともに前記間隙に前記セメント固化土用混合スラリーを導入及び固化して形成される堆積層を複数積層して地盤を造成することを特徴とする。
【００１１】
また、本発明の高レベル及び低レベル放射性廃棄物を収容したトン袋の大量処理方法は、前記島造成区域内に前記外海の海面より高い位置まで埋立てた埋立基礎を設け、前記埋立基礎上に前記塊状体を配置して前記セメント固化土用混合スラリーを導入及び固化することを特徴とする請求項１又は２に記載の高レベル及び低レベル放射性廃棄物を収容したトン袋の大量処理方法。
【００１２】
また、本発明の高レベル及び低レベル放射性廃棄物を収容したトン袋の大量処理方法は、前記塊状体の少なくとも一部として土壌を収容したフレキシブルコンテナバッグを配置することを特徴とする。
【発明の効果】
【００１５】
本発明の高レベル又は低レベル放射性廃棄物を収容したトン袋の大量処理方法によれば、島造成区域内に互いに当接させて配置した高レベル又は低レベル放射性廃棄物である土砂が収容された多数の塊状体を、塊状体間の間隙にセメント固化土用混合スラリーを導入して固化させてセメント固化土により埋めている。そのため、低レベル放射性廃棄物である土砂を大量に処理することが可能である。
【００１６】
本発明の高レベル又は低レベル放射性廃棄物を収容したトン袋の大量処理方法において、塊状体を多数配置するとともに間隙にセメント固化土用混合スラリーを導入して固化した堆積層を複数積層して地盤を造成すれば、各堆積層毎に塊状体の間隙に確実にセメント固化土用混合スラリーを導入でき、各堆積層毎に塊状体の間隙を確実にセメント固化土で充填できる。そのためより強い地盤を造成できる。
【００１７】
本発明の高レベル又は低レベル放射性廃棄物を収容したトン袋の大量処理方法において、島造成区域内に外海の海面より高い位置まで埋立てた埋立基礎を設け、この埋立基礎上に塊状体を配置してセメント固化土用混合スラリーを導入及び固化すれば、島造成時には、多数の塊状体間の間隙に海水が存在せず、確実に塊状体間にセメント固化土用混合スラリーを導入でき、またセメント固化土用混合スラリーが海水に分散、流出したりすることもない。そのため十分量のセメント固化土用混合スラリーを塊状体間の間隔に導入して固化させることができ、十分量のセメント固化土を多数の塊状体間に充填してより安定した地盤を造成できる。
また島造成後には、塊状体及びセメント固化土に海水に浸食されたり、これらの成分が海水中に溶出したり分散したりすることを防止でき、長期間安定に地盤を保つことができる。
【００１８】
本発明の高レベル又は低レベル放射性廃棄物を収容したトン袋の大量処理方法において、塊状体の少なくとも一部として土壌を収容したフレキシブルコンテナバッグを配置すれば、各塊状体の外周が埋立基礎や周囲の塊状体と当接した際、多少変形でき、設置面や当接面をより広くして多数の塊状体をより安定に密集して配置でき、より安定な地盤を造成できる。
また塊状体が埋立基礎上に配置されるため、土壌を収容したフレキシブルコンテナバッグが島造成時やその後に海水に接することを防止でき、フレキシブルコンテナバッグに収容された土壌やその成分が海水中に流出することがなく、長期間安定した地盤を保つことができる。
【図面の簡単な説明】
【００２１】
【図１】図１（ａ）は、本実施形態に係る人工島の構成を示した図であり、図１（ｂ）は、人工島の大きさを示した図である。
【図２】本実施形態に係る人工島の堤防近辺の構成を示した図である。
【図３】本実施形態に係る人工島の造成手順を示した図である。
【図４】本実施形態に係る人工島の造成手順を示した図である。
【図５】本実施形態に係る人工島の完成図である。
【発明を実施するための形態】
【００２２】
以下、本発明の実施形態について図を用いて詳細に説明する。
本実施形態では、高レベル又は低レベルの放射性廃棄物である土砂を処分する方法として、この土砂を人工島の造成に利用する例として説明する。
本実施形態の高レベル又は低レベルの放射性廃棄物である土砂の処分施設１０は、図１（ａ）に示すように、外海１１に囲まれた人工島１３からなる。この人工島１３には所定構造の地盤１５が造成されていて、地盤１５上に滑走路１７が設けられている。人工島１３にはさらに砂浜１９や図示しない居住区域及びリゾート区域などが設けられている。
図１（ｂ）には、人工島の実際の大きさを示す構成図が示されている。
【００２３】
本実施形態の人工島１３は、陸地から離れた海中における浅瀬や珊瑚礁近くの区域に造成されており、図１及び図２に示すように、人工島１３は島造成区域２１を外海１１と仕切る堤防２３と、島造成区域２１内に外海１１の海面１１ａより高い位置まで埋立てた埋立基礎２５と、島造成区域２１内の埋立基礎２５上に複数積層して設けられた堆積層２７と、を備え、埋立基礎２５に複数の堆積層２７が積層されてコンクリート地盤１５が構成されている。
【００２４】
堤防２３は、海中の島造成区域２１の外周囲に造成されている。この堤防２３は、外周囲に環状に連続して設けられていてもよいが、自然状態で海面１１ａよりも隆起した部位が存在する場合には、その部位に連続して堤防２３を設けていてもよい。
【００２５】
堤防２３は、コンクリート構造物として構築してもよいが、本実施形態では、コンクリート廃材を活用し、適宜、蛇籠や岩石等も合わせて使用することで造成されている。この堤防２３では外海１１側に大きいコンクリート廃材を堆積させるとともに島造成区域２１の内側に小さいコンクリート廃材を堆積させた状態でセメントによりコンクリート廃材同士が一体化されている。
本実施形態では、堤防２３とその内側の島造成区域２１との間に明確な仕切を設けることなく連続的に形成されている。また堤防２３の外海１１側には、隣接して多数のテトラポット２９などが配置されいる。
【００２６】
埋立基礎２５は、島造成区域２１内の略全体に造成されている。埋立基礎２５は、例えば岩石、コンクリート廃材、蛇籠等の耐水性材を多数積み重ねて構成されており、上面が外海１１の海面１１ａより高い位置に設けられている。
【００２７】
堆積層２７は、島造成区域２１内の埋立基礎２５上に多数の塊状体３１を互いに当接して配置した構造を有し、互いに近接する塊状体３１間の間隙に充填材としてのセメント固化土３３が充填されて埋められている。堆積層２７が上下に複数層積層されており、上下に配置される各塊状体３１の間、上下に近接する塊状体３１間の間隙にも充填材としてのセメント固化土３３が介在していてもよい。
【００２８】
塊状体３１は十分な圧縮強度を確保できる部材であれば適宜使用できるが、本実施形態では、多数の塊状体３１の少なくとも一部、好ましくは大多数乃至全部が、トン袋と称される土壌を収容したフレキシブルコンテナバッグにより構成されている。
【００２９】
各フレキシブルコンテナバッグは、十分な耐水性を有する樹脂シート材料等により袋状に形成されており、内部に土壌を収容した状態で、全周を漏れなく液密に包んで固縛可能な部材である。
各フレキシブルコンテナバッグに収容される土壌としては、本実施形態では除染作業により発生した高レベル又は低レベル放射性廃棄物である土砂を収容している。
この塊状体３１は、外形寸法が岩石やコンクリート廃材などに比べてバラツキが少ないため、本実施形態では上下に配置された塊状体３１ごとに堆積層２７を構成しやすい。
【００３０】
また、堆積層２７を構成するためには、この塊状体３１を大量に利用する。即ち、塊状体３１に収容されている高レベル又は低レベル放射性廃棄物である土砂を大量に処理することが可能である。
【００３１】
一方、多数の塊状体３１間の間隙を埋める充填材は、セメント固化土３３からなる。セメント固化土３３とは、多量の土とセメント成分とを含有するセメント固化土用混合スラリー３３Ｘを固化させたもので、泥コン、流動化処理土、セメント固化処理土などと称され、セメント成分の硬化反応により土を経時的に固化させた構造材である。セメント固化土３３の土としては、荒木田土等の粘性土などが特に好適に使用できる。
このセメント固化土３３により多数の塊状体３１を配置した堆積層２７の強度を向上するとともに防水性を向上することが可能である。
【００３２】
本実施形態では、埋立基礎２５上に多数の塊状体３１及びセメント固化土３３からなる堆積層２７が造成されている。そして、この堆積層２７の上面にコンクリートを打設することでコンクリート地盤１５が造成されている。
コンクリート廃材、蛇籠、岩石等を積み重ねて構成された堤防本体２３ａの上部には、コンクリート構造物からなる防潮堤２３ｂが設けられている。
また、コンクリート地盤１５の上部には、コンクリート層１７ａ及びアスファルト層１７ｂを設けて滑走路１７が形成されるとともに、管理道路１７ｃや排水溝１８ａが形成されている。さらに緑地帯１８ｂなどが設けられていてもよい。
【００３３】
次に、このような人工島１３及び汚染土壌の処分施設１０の造成方法について説明する。
本実施形態の人工島１３は、堤防２３により島造成区域２１を外海１１と仕切り、島造成区域２１内に外海１１の海面１１ａより高い位置まで埋立てて埋立基礎２５を設け、埋立基礎２５上に多数の塊状体３１及びセメント固化土３３からなる堆積層２７を積層して地盤１５を造成する。
【００３４】
まず図３に示すように、陸地から離れた海中における浅瀬や珊瑚礁近くの区域に島造成区域２１を設定して、島造成区域２１を外海１１と仕切るように堤防２３を造成する。
本実施形態では、堤防２３はコンクリート廃材や蛇籠を活用して造成する。ここではコンクリート廃材や蛇籠を大きさごとに選別し、外海１１側に大きいコンクリート廃材や蛇籠を堆積させるとともに島造成区域２１の内側に小さいコンクリート廃材を堆積させ、表面側からセメントスラリーを流し込んでコンクリート廃材及び蛇籠を繋ぎとめ、全体を固定化し、コンクリート壁を形成する。
【００３５】
次いで図３に示すように、堤防２３により島造成区域２１を外海１１と仕切った後、島造成区域２１内に岩石、コンクリート廃材、蛇籠等の耐水性材を多数積重ねて配置することで、外海１１の海面１１ａより高い位置まで埋立てて埋立基礎２５を設ける。
【００３６】
次いで図４に示すように、埋立基礎２５を所定高さまで築造した区域で、埋立基礎２５上に多数の塊状体３１及びセメント固化土３３からなる堆積層２７を複数積層する。各堆積層２７は、上下方向に１段乃至数段の塊状体３１と塊状体３１間の間隙を埋めるセメント固化土３３とからなる。
【００３７】
各堆積層２７を形成するには、塊状体３１を略水平方向に多数、互いに当接させ、好ましくは並べて配置するとともに、１段毎に、互いに隣接又は近接する塊状体３１間や間隙にセメント固化土用混合スラリー３３Ｘを導入し、固化することで形成する。本実施形態では、横方向に隣接する塊状体３１同士の間や上下に隣接する塊状体３１同士の間にもセメント固化土用混合スラリー３３Ｘを導入して固化することもよい。
本実施形態では、塊状体３１の一部又は全部に、上述のように土壌として汚染土壌を収容した上述のようなフレキシブルコンテナバッグを使用する。
【００３８】
一方、セメント固化土用混合スラリー３３Ｘは、上述のように土とセメント成分とを含有したセメント固化土３３を得るための固化前のスラリーであり、本実施形態では、好ましくは荒木田土等の粘性土を使用したスラリーである。このスラリーは、土、セメント成分、水とが必須の成分として含有され、適宜骨材やその他の物質が含有された状態で、流動性を有する程度に混錬したものである。
【００３９】
このセメント固化土用混合スラリー３３Ｘを多数の塊状体３１間の間隙に導入して固化させると、セメント固化土用混合スラリー３３Ｘがセメント成分の硬化によりスラリー中の土及び他の混合物を一体に固化したセメント固化土３３となる。
セメント固化土３３により塊状体３１間の間隙が埋められるとともに、互いに近接する塊状体３１同士が接合されることで、多数の塊状体３１及びセメント固化土３３が一体化した堆積層２７が形成される。
【００４０】
このようにして埋立基礎２５上に堆積層２７を積層し、この上面にコンクリートを打設することでコンクリート地盤１５を形成することで人工島１３が造成される。
ここで、コンクリート地盤１５を５〜２０ｃｍの厚さで堆積層２７の上面に形成する。
つまり、堆積層２７の上面に蓋をするような形で放射線を封じ込めることが可能な厚さのコンクリート地盤１５を形成することで堆積層２７を構成する塊状体３１から漏れる放射線を封じ込めることができる。
そして、図５に示すように、この人工島１３のコンクリート地盤１５の上面に、コンクリート層１７ａ及びアスファルト層１７ｂを設けて滑走路１７や管理道路１７ｃ、排水溝１８ａや緑地帯１８ｂなどを設けることで、人工島１３を用いた汚染土壌の処分施設１０の造成することができる。
【００４１】
以上のような本実施形態の高レベル又は低レベル放射性廃棄物である土砂の大量処理方法によれば、島造成区域２１内に互いに当接させて配置した多数の塊状体３１（上記の土砂が収納されている）を、塊状体３１間の間隙にセメント固化土用混合スラリー３３Ｘを導入して固化させてセメント固化土３３により埋めている。
そのため、多数の塊状体３１を利用することにより、高レベル又は低レベル放射性廃棄物である土砂を大量に処理することが可能であるほか、多数の塊状体３１をセメント固化土３３の強度で接合して安定に配置でき、強度を確保しつつ安定したコンクリート地盤１５が広い区域に設けて人工島を造成することが可能である。
【００４２】
また、本実施形態によれば、塊状体３１を多数配置するとともに間隙にセメント固化土用混合スラリー３３Ｘを導入して固化した堆積層２７を複数積層し、コンクリートを打設して、堆積層２７の上面にコンクリート地盤１５を造成している。
そのため各堆積層２７に塊状体３１の間隙に確実にセメント固化土用混合スラリー３３Ｘを導入でき、各堆積層２７毎に塊状体３１の間隙を確実にセメント固化土３３で充填することで強固な堆積層２７を形成することができ、また、この堆積層２７の上面に蓋をするようにしてコンクリートを打設して５〜２０ｃｍ程度の厚さのコンクリート地盤１５を形成する。
これにより、堆積層２７を構成する塊状体３１からの放射線の漏れを防止することが可能となる。
【００４３】
また、本実施形態によれば、島造成区域２１内に外海１１の海面１１ａより高い位置まで埋立てた埋立基礎２５を設け、この埋立基礎２５上に塊状体３１を配置してセメント固化土用混合スラリー３３Ｘを導入及び固化している。
そのため島造成時には、多数の塊状体３１間の間隙に海水が存在せず、確実に塊状体３１間にセメント固化土用混合スラリー３３Ｘを導入でき、またセメント固化土用混合スラリー３３Ｘが海水に分散、流出したりすることもない。これにより十分量のセメント固化土用混合スラリー３３Ｘを塊状体３１間の間隔に導入して固化させることができ、より安定した地盤１５を造成できる。
また、島造成後には、塊状体３１及びセメント固化土３３が海水に浸食されることがないため、塊状体３１に収容されている土砂から放射性物質が溶出したり分散したりすることを防止することができるほか、さらに長期間安定に地盤１５を保つことができる。
【００４４】
本実施形態の人工島１３の造成方法では、土壌を収容したフレキシブルコンテナバッグを塊状体３１として配置している。そのため各塊状体３１の外周が埋立基礎２５や周囲の塊状体３１と当接した際、多少変形できる。これにより各塊状体３１の設置面や当接面をより広くして多数の塊状体３１をより安定に密集して配置でき、より安定な地盤１５を造成できる。
【００４５】
また塊状体３１が埋立基礎２５上に配置されるため、土壌を収容したフレキシブルコンテナバッグが島造成時やその後に海水に接することを防止でき、フレキシブルコンテナバッグに収容された土砂から放射性物質が海水中に流出することがなく、長期間安定した地盤１５を長期間保つことができる。
【００４６】
さらに、このようにして造成された本実施形態の人工島１３によれば、島造成区域２１内に外海１１の海面１１ａより高い位置まで埋立てた埋立基礎２５を備え、この埋立基礎２５上に互いに当接させて多数の塊状体３１が配置されるとともに塊状体３１間の間隙がセメント固化土３３により埋められている。
そのため塊状体３１やセメント固化土３３が海水に接して浸食されたり、その成分が海水中に溶出や分散したりすることが防止できる。これにより多数の塊状体３１と塊状体３１間に充填されたセメント固化土３３とにより、十分な強度を確保しつつ広い面積で安定な地盤１５であって、長期間安定に保つことができる地盤１５が設けることができる。
【００４７】
特に、本実施形態の人工島１３では、多数の塊状体３１の少なくとも一部が土壌を収容したフレキシブルコンテナバッグからなるものとなっている。そのため塊状体３１の外周が埋立基礎２５や周囲の塊状体３１と当接した際、多少変形できる。これにより設置面や当接面をより広くできて多数の塊状体３１をより安定して密集配置することができ、より安定な地盤１５を確保できる。
また塊状体３１が埋立基礎２５上に配置されるため、土壌を収容したフレキシブルコンテナバッグが海水に接することを防止でき、フレキシブルコンテナバッグに収容された土壌やその成分が海水中に流出することがなく、長期間安定したコンクリート地盤１５を保つことができる。
【００４８】
そして本実施形態の人工島１３を上述のような低レベル放射性廃棄物である土砂の処分施設１０として用いれば、フレキシブルコンテナバッグにこの土砂を収容したものを、塊状体３１として用いて埋立基礎２５上に配置しており、その間隙にセメント固化土３３を充填して安定させてコンクリート地盤１５を形成し、地盤１５上に滑走路を設けている。そのため十分な強度を有して安定したコンクリート地盤１５に滑走路を設けることができる上に、低レベルの放射性物質を周囲の環境から隔離して長期間安定に保持したり処分したりすることが可能である。
【００４９】
なお上記実施形態は、本発明の範囲内において適宜変更可能である。
例えば上記実施形態では、塊状体３１として土壌を収容したフレキシブルコンテナバッグを用いたため、各塊状体３１の大きさのバラツキが少なく、そのために埋立基礎２５上に堆積層２７が複数層積層されて地盤１５が造成されていたが、堆積層２７を埋立基礎２５上に層状に複数積層する構造でなくてもよく、例えばランダムに塊状体３１が配置されてセメント固化土３３により固定された構造であってもよい。
【００５０】
また上記実施形態では、島造成区域２１の全周を堤防２３により仕切った後で埋立基礎２５を造成したが、特に限定されるものではない。例えば島造成区域２１の少なくとも一部を堤防２３により仕切った後であれば、工事可能な区域から、適宜、埋立基礎２５を造成することが可能である。
【符号の説明】
【００５１】
１０  処分施設
１１  外海
１１ａ  海面
１３  人工島
１５  コンクリート地盤
１７  滑走路
１７ａ  コンクリート層
１７ｂ  アスファルト層
１７ｃ  管理道路
１８ａ  排水溝
１８ｂ  緑地帯
１９  砂浜
２１  島造成区域
２３  堤防
２３ａ  堤防本体
２３ｂ  防潮堤
２５  埋立基礎
２７  堆積層
２９  テトラポット
３１  塊状体
３３  セメント固化土
３３Ｘ  セメント固化土用混合スラリー
【要約】      （修正有）【課題】人工島の造成に低レベル放射性廃棄物である土砂を収容したフレキシブルコンテナバッグを埋立材料として利用することで、この土砂を大量に処理することができるほか、強度を確保しつつ安定した地盤を広い区域に設けることが可能な高レベル又は低レベル放射性廃棄物を収容したトン袋の大量処理方法及びコンクリートの打設による放射線を封じ込める方法を提供する【解決手段】堤防２３により島造成区域２１を外海１１と仕切り、島造成区域２１内に低レベル放射性廃棄物である土砂を収容した多数の塊状体３１を互いに当接させて配置し、土及びセメント成分を含有するセメント固化土用混合スラリーを塊状体３１間に導入し、セメント固化土用混合スラリーを固化させることでセメント固化土３３により塊状体３１間の間隙を埋めることで地盤を造成する。【選択図】図２【図１】
0006734604.tif 000002
【図２】
0006734604.tif 000003
【図３】
0006734604.tif 000004
【図４】
0006734604.tif 000005
【図５】
0006734604.tif 000006